(57)【要約】【課題】パネルに対する良好な固定状態を得るとともに、振動が生じる環境下でも良好な固定状態を維持できるようにする。【解決手段】パネル１２に対する固定側の一端部１１ａにグロメットインナー５１を内包しているグロメット１１を用いたグロメット固定構造において、グロメットインナー５１に、パネル１２の開口部２１に貫通するパネル係止部７１と、パネル係止部７１の一部に係止される当て板部７２を備える。パネル係止部７１には、開口部２１に表面１２ａ側から挿入されて開口部２１の縁に係止する主係止爪７３と、開口部２１に表面１２ａ側から挿入されて裏面１２ｂ側において当て板部７２を係止する従係止爪７４を形成する。当て板部７２には、主係止爪７３のパネル１２に対する係止状態において従係止爪７４に係止してパネル１２を裏面１２ｂ側から挟み込む押さえ部７５を形成して、係止に加えて積極的な挟み込みを行う。【選択図】図１
2019161835.tif 000002
【特許請求の範囲】
【請求項１】
グロメットのパネルに対する固定側の端部に内包されるグロメットインナーであって、
前記パネルの開口部に貫通するパネル係止部と、前記パネル係止部の一部に係止される当て板部が備えられ、
前記パネル係止部には、前記開口部に表面側から挿入されて前記開口部の縁に係止する主係止爪と、前記開口部に表面側から挿入されて裏面側において前記当て板部を係止する従係止爪が形成され、
前記当て板部には、前記主係止爪の前記パネルに対する係止状態において前記従係止爪に係止して前記パネルを裏面側から挟み込む押さえ部が形成された
グロメットインナー。
【請求項２】
前記主係止爪が間隔をあけて対をなして形成されるとともに、対をなす方向の外方に爪が向けられており、
前記当て板部に、前記主係止爪が前記開口部に係止した状態で前記主係止爪同士の間に入り込んで前記爪の外れを阻止する規制ロック部が形成された
請求項１に記載のグロメットインナー。
【請求項３】
前記主係止爪が間隔をあけて対をなして形成されるとともに、対をなす方向の外方に爪が向けられており、
前記従係止爪が、前記主係止爪が対をなす方向と直交する方向に爪を向けて形成された
請求項１に記載のグロメットインナー。
【請求項４】
前記当て板部がヒンジを介して一体形成された
請求項１から請求項３のうちいずれか一項に記載のグロメットインナー。
【請求項５】
前記主係止爪が間隔をあけて対をなして形成されるとともに、対をなす方向の外方に爪が向けられており、
前記当て板部が前記主係止爪の対をなす方向に沿って延びるヒンジを介して一体に形成され、
前記従係止爪が、前記主係止爪の対向する方向と直交する方向に間隔をあけて対をなすとともに爪を外側に向けて形成されるとともに、
対をなす前記従係止爪のうち前記ヒンジから遠い方の従係止爪の爪が近い方の従係止爪の爪よりも大きく形成された
請求項１に記載のグロメットインナー。
【請求項６】
前記押さえ部に、前記パネルに対して付勢力を以て接触する弾性片が形成された
請求項１から請求項５のうちいずれか一項に記載のグロメットインナー。
【請求項７】
前記押さえ部に切欠き部が形成されるとともに、
前記弾性片が前記切欠き部に形成された
請求項６に記載のグロメットインナー。
【請求項８】
前記押さえ部が、前記従係止爪に対する係止状態において前記主係止爪の対向する方向と直交する方向における前記主係止爪と並ぶ位置に形成された
請求項１から請求項７のうちいずれか一項に記載のグロメットインナー。
【請求項９】
請求項１から請求項８のうちいずれか一項に記載のグロメットインナーを備えた
グロメット。
【請求項１０】
請求項９に記載のグロメットにおける前記グロメットインナーを内包している端部を前記パネルに固定した
グロメット固定構造。
【請求項１１】
前記グロメットにおける前記開口部に対応する部位に、前記開口部に嵌る膨出部が形成された
請求項１０に記載のグロメット固定構造。
【請求項１２】
前記グロメットインナーにおける前記膨出部に対応する部位に、前記膨出部の膨出方向に向けて突出する突起部が形成された
請求項１１に記載のグロメット固定構造。
【請求項１３】
前記グロメットインナーに前記パネル係止部及び前記当て板部に加えて、前記パネルに挿入されて抜け止め固定されるアンカーが形成された
請求項１０から請求項１２のうちいずれか一項に記載のグロメット固定構造。
【請求項１４】
前記アンカーが、前記パネルの内側部分に対応する部位に形成され、
前記パネル係止部及び前記当て板部が、前記パネルにおける前記内側部分と前記内側部分よりも端部側に形成された段差部よりも端部側に形成された
請求項１３に記載のグロメット固定構造。
【発明の詳細な説明】
【技術分野】
【０００１】
この発明は、ワイヤハーネスを保護するグロメットに関し、より詳しくはパネルに対する固定が良好に行えるようなグロメットに関する。
【背景技術】
【０００２】
グロメットは、パネルに対する固定側の端部にグロメットインナーを内包しており、例えば下記特許文献１に開示されているように、グロメットインナーにはパネルの開口部に嵌め込まれる係合部が形成されている。嵌合部の外周面には弾性変位する係止爪が形成されており、この係止爪は開口部に嵌めるとパネルに係止して、グロメットの止水部をパネルに押し当てた状態にする。
【０００３】
しかし、係止爪は開口部に嵌った状態で外方に付勢されているものの、グロメットには固定時の姿勢において下になる方向など特定の方向に荷重がかかる。付勢方向と反対側に常に荷重がかかる係止爪では、付勢力が発揮できない状態となって、グロメットのがたつきや外れの原因になることが考えられる。
【先行技術文献】
【特許文献】
【０００４】
【特許文献１】特開２０１７−１１８７４２号公報
【発明の概要】
【発明が解決しようとする課題】
【０００５】
そこで、この発明は、良好な固定状態を得るとともに、維持できるようにすることを主な目的とする。
【課題を解決するための手段】
【０００６】
そのための手段は、グロメットのパネルに対する固定側の端部に内包されるグロメットインナーであって、前記パネルの開口部に貫通するパネル係止部と、前記パネル係止部の一部に係止される当て板部が備えられ、前記パネル係止部には、前記開口部に表面側から挿入されて前記開口部の縁に係止する主係止爪と、前記開口部に表面側から挿入されて裏面側において前記当て板部を係止する従係止爪が形成され、前記当て板部には、前記主係止爪の前記パネルに対する係止状態において前記従係止爪に係止して前記パネルを裏面側から挟み込む押さえ部が形成されたグロメットインナーである。
【０００７】
この構成では、パネル係止部の主係止爪がパネルの開口部に係止してグロメットの端部がパネルの表面に押さえつけられた状態になった上、さらにパネル係止部の従係止爪に係止した当て板部の押さえ部がパネルの裏面側を押さえつける。これによって、パネルはグロメットによって厚み方向で挟み付けられる。換言すれば、パネルは厚み方向の両側から押さえられて、グロメットとの位置関係が強力に規制される。この結果、特定の主係止爪にかかる荷重を抑制し、がたつきの発生や外れを防止する。また、パネルの開口部を含む形状公差が最大で、開口部に対するグロメットインナーに片寄りがある場合であって不測に主係止爪が外れたり、グロメットの中のワイヤハーネスが引っ張られてテンションがかかったりしたときでも、グロメットのパネルからの脱落を防止できる。
【０００８】
この発明の態様として、前記主係止爪が間隔をあけて対をなして形成されるとともに、対をなす方向の外方に爪が向けられており、前記当て板部に、前記主係止爪が前記開口部に係止した状態で前記主係止爪同士の間に入り込んで前記爪の外れを阻止する規制ロック部が形成されたグロメットインナーとしてもよい。
【０００９】
この構成では、主係止爪が開口部に係止した状態で当て板部の規制ロック部が主係止爪同士の間に嵌って主係止爪の係止が外れる方向への変位、つまり内倒れを防止する。これによって、主係止爪の開口部からの脱落、つまりグロメットのパネルからの脱落を防止する。
【００１０】
この発明の態様として、前記主係止爪が間隔をあけて対をなして形成されるとともに、対をなす方向の外方に爪が向けられており、前記従係止爪が、前記主係止爪が対をなす方向と直交する方向に爪を向けて形成されたグロメットインナーとしてもよい。
【００１１】
この構成では、外方に爪を向けた主係止爪の対をなす方向と直交する方向に爪を向けて従係止爪が形成されているので、相互間で係止状態に悪影響を及ぼすことを回避できる。また、主係止爪と従係止爪の方向性が異なるので、主係止爪と従係止爪を有するパネル係止部の形態をコンパクトにまとめることができる。
【００１２】
この発明の態様として、前記当て板部がヒンジを介して一体形成されたグロメットインナーとしてもよい。
【００１３】
この構成では、当て板部を従係止爪に係止するときには、ヒンジを支点とて当て板部を回動させればよい。このため、別部材の当て板部を係止する場合とは異なり、利便性が高く作業性が良いものとすることができる。また、万が一当て板部が外れるようなことがあったとしても、当て板部の散逸を防止できる。
【００１４】
この発明の態様として、前記主係止爪が間隔をあけて対をなして形成されるとともに、対をなす方向の外方に爪が向けられており、前記当て板部が前記主係止爪の対をなす方向に沿って延びるヒンジを介して一体に形成され、前記従係止爪が、前記主係止爪の対向する方向と直交する方向に一対、間隔をあけるとともに爪を外側に向けて形成されるとともに、一対の前記従係止爪のうち前記ヒンジから遠い方の従係止爪の爪が近い方の従係止爪の爪よりも大きく形成されたグロメットインナーとしてもよい。
【００１５】
この構成では、主係止爪が対をなす方向に延びるヒンジを介して一体形成された当て板部を係止する従係止爪が、主係止爪が対をなす方向と直交する方向に対をなして形成されており、従係止爪のうちヒンジから近い方の従係止爪の爪よりも大きく形成されたヒンジから遠い方の従係止爪の爪が、梃子の原理によって強力に当て板部の係止を行わせる。これによって、より良好な固定状態が得られるとともに、良好な固定状態が維持される。
【００１６】
この発明の態様として、前記押さえ部に、前記パネルに対して付勢力を以て接触する弾性片が形成されたグロメットインナーとしてもよい。
【００１７】
この構成では、押さえ部がパネルの裏面側を押さえつけた状態で、弾性片が独自にパネルに対して付勢力を発揮した状態で接する。これによって、押さえ部にストッパ機能を発揮させつつ、がたつき防止が行える。
【００１８】
弾性片を設ける場合、前記押さえ部に切欠き部が形成されるとともに、前記弾性片が前記切欠き部に形成されたグロメットインナーとしてもよい。
【００１９】
この構成では、例えば押さえ部の中央部など、適宜の態様で形成された切欠き部の内部に形成された弾性片が、押さえ部の内側に収まった態様でパネルを押圧する。これによって、押さえ部の近傍の大型化を防止できるとともに、切欠き部と弾性片の態様によっては安定した押さえ状態を実現できる。
【００２０】
この発明の態様として、前記押さえ部が、前記従係止爪に対する係止状態において前記主係止爪の対向する方向と直交する方向における前記主係止爪と並ぶ位置に形成されたグロメットインナーとしてもよい。
【００２１】
この構成では、押さえ部は主係止爪に並んだ位置で主係止爪の係止状態の維持を補助する。これによって、押さえ部の作用を効果的に発揮させることができる。
【００２２】
別の手段は、前記グロメットインナーを備えたグロメットである。
【００２３】
別の手段は、前記グロメットにおける前記グロメットインナーを内包している端部を前記パネルに固定したグロメット固定構造である。
【００２４】
グロメット固定構造の態様としては、前記グロメットにおける前記開口部に対応する部位に、前記開口部に嵌る膨出部が形成されたグロメット固定構造としてもよい。
【００２５】
この構成では、膨出部は開口部に隙間を小さくするように、また開口部を塞ぐように位置する。これによって、異物の侵入を抑制する。また、グロメットが引っ張られた場合に、捲れにくくして、パネルに対する固定状態を維持する。
【００２６】
膨出部を形成する場合、前記グロメットインナーにおける前記膨出部に対応する部位に、前記膨出部の膨出方向に向けて突出する突起部が形成されたグロメット固定構造であるとよい。
【００２７】
この構成では、突起部が膨出部を支える。これによって、膨出部に対する引っ掛かりとなってグロメットインナーの位置ずれや外れを防止できるとともに、膨出部の補強として機能して前述した膨出部の作用を確実なものとする。
【００２８】
グロメット固定構造の態様としては、前記グロメットインナーに前記パネル係止部及び前記当て板部に加えて、前記パネルに挿入されて抜け止め固定されるアンカーが形成されたグロメット固定構造であってもよい。
【００２９】
この構成では、パネル係止部及び当て板部とアンカーとの協働でパネルに対する固定状態を得る。これによって、グロメットインナーの形状の複雑化を避け、固定作業性もよい固定が実現できる。
【００３０】
この場合には、前記アンカーが、前記パネルの内側部分に対応する部位に形成され、前記パネル係止部及び前記当て板部が、前記パネルにおける前記内側部分と前記内側部分よりも端部側に形成された段差部よりも端部側に形成されたグロメット固定構造であるとよい。
【００３１】
この構成では、アンカーはパネルの端部から離れた内側部分に挿入されて固定され、パネル係止部及び当て板部はパネルの端部に差し込んで係止したのち当て板を係止させて固定される。これによって、固定態様の違いを活かした固定しやすさを実現できるとともに、アンカーとパネル係止部及び当て板部とで互いに係止状態を補助して、良好な固定状態を維持する。
【発明の効果】
【００３２】
この発明によれば、グロメットのパネルに対する良好な固定状態を得て、この固定状態を維持することができる。
【図面の簡単な説明】
【００３３】
【図１】グロメット固定構造の斜視図。
【図２】パネルとグロメットの斜視図。
【図３】グロメットの分解斜視図。
【図４】グロメットの一端部を断面で表した一部破断側面図。
【図５】アンカーの拡大斜視図。
【図６】パネル係止部の拡大斜視図。
【図７】パネル係止部正面図。
【図８】パネル係止部の係止態様を説明する断面図。
【図９】パネル係止部の係止状態の断面図。
【図１０】当て板部の係止過程を示す断面図。
【図１１】固定状態におけるパネル係止部の断面図。
【図１２】固定状態におけるパネル係止部の正面図。
【図１３】図１２のＡ−Ａ断面図。
【発明を実施するための形態】
【００３４】
この発明を実施するための一形態を、以下図面を用いて説明する。
【００３５】
図１にグロメット１１をパネル１２に固定したグロメット固定構造１３の斜視図を示す。このグロメット固定構造１３は、例えば車両のフロントドアのように開閉するドア部分に対して好適に採用されるものであり、ボディー側のボディーパネルとドア側のドアパネルとの間にグロメット１１を固定して、ボディーとドアを跨いで配索されるワイヤハーネスＷＨを保護する。
【００３６】
図２はグロメット１１の一端部１１ａが固定されるパネル１２（ドアパネルの一部）と、グロメット１１の斜視図であり、図３はグロメット１１の分解斜視図、図４はグロメット１１の一端部１１ａを断面で表した側面図である。なお、図１〜図３などの図示においては、構造を説明しやすい向きにして描いており、図示の姿勢は車両に組み込まれたときの姿勢とは異なる。この例のグロメット１１において、車両に組み込まれた時の姿勢は、グロメット１１の両端部の開口方向が共に横を向く姿勢である。
【００３７】
また、この例ではグロメット１１におけるドアパネルに対して固定する一端部１１ａの構造のみについて説明して、ボディーパネルに対して固定する他端部１１ｂの構造の説明は省略する。
【００３８】
まず、パネル１２について説明する。パネル１２は、グロメット１１を固定する部位に開口部２１を有している。開口部２１は、図２に示したように端部２２から内側部２３に切り込んだ形態であり、切り込み方向の先端部は正面視円形に形成されている。
【００３９】
また、パネル１２における開口部２１を有する部位とその周囲は、すべて平らではなく、端部２２から、開口部２１の切り込み方向先端部を有する内側部２３に移行する部分に、空間におけるパネル１２の位置、つまりパネル１２の表面１２ａ及び裏面１２ｂの位置を裏面方向に相対的に変化させる湾曲した段差部２４が形成されている。段差部２４は、ワイヤハーネスＷＨを通す方向と略同じ方向にパネル１２の内側部２３を裏面１２ｂ側に移行する形状である。
【００４０】
ここで、「表面１２ａ」とはグロメット１１を固定する側の面であり、「裏面１２ｂ」とは、グロメット１１が固定される面と反対側の面である。このため、図１、図２では、パネル１２の裏面１２ｂが手前側にあらわれていることになる。
【００４１】
開口部２１の端部２２のうち端寄りの部位は、グロメット１１の一端部１１ａの大きさと開口部２１の深さに対応して適宜の範囲にわたって開口部２１の幅が狭められている。開口部２１の幅が狭くなる部分には縁片２５が形成されており、縁片２５の厚さは他の部位よりも薄く設定されている。また、開口部２１の端部における縁片２５同士の間には開放空間２６が形成されており、パネル１２の端が開かれている。
【００４２】
さらに、パネル１２におけるグロメット１１を固定する部位のうち、段差部２４よりも内側の内側部２３であって、開口部２１の切り込み方向の先端部を挟む両側には、グロメット１１の固定に使用される挿入穴２７が形成されている。
【００４３】
なお、パネル１２のこのような形態は一例であり、パネル１２と開口部２１の形態は適宜設定される。例えば縁片２５は厚みが薄くなくもよく、また開口部２１は、前述の開放空間２６のない、周囲が閉鎖された穴であってもよい。
【００４４】
つぎに、グロメット１１について説明する。グロメット１１は、図３に示したようにグロメット本体３１と、グロメットインナー５１と、インナーカバー５２で構成される。
【００４５】
グロメット本体３１は、ドアパネルの開閉に応じて屈曲する略筒状であり、柔軟性と可撓性を備えるゴムなどで形成される。グロメット本体３１の長手方向の中間部には蛇腹部３２が形成され、一端部３１ａと他端部３１ｂは、ボディーパネル又はドアパネルに対する固定側の端部であり、グロメットインナー５１が内包される。なお、前述のようにグロメット１１の一端部１１ａの構成のみを説明するので、図３では一端部３１ａに内包されるグロメットインナー５１のみを描いている。
【００４６】
グロメットインナー５１を内包するため、グロメット本体３１の一端部３１ａと他端部３１ｂは鍔のように外周側に張りだしている。グロメット本体３１の両端部のうちの、ドアパネルを構成するパネルに固定される一端部３１ａの形状は、正面視で角を大きくした略二等辺三角形状に形成されており、前述したパネル１２の開口部２１の周囲における端部２２の一部を除く表面形状に当接する接合面部３３を、外周縁に有している。接合面部３３は、ワイヤハーネスＷＨを通す貫通路３４の全周を取り巻いており、パネル１２の段差部２４に対応する湾曲した段差部３５を有する。
【００４７】
また、接合面部３３におけるパネル１２に当接する面の外周縁には、止水リップ３６が形成されている。止水リップ３６を有する接合面部３３は断面コ字状であり、接合面部３３の内周側に、グロメットインナー５１の外周縁の嵌合縁部５３が嵌め込み可能である。なお、接合面部３３の内部における適宜箇所には、断面コ字状を保持するリブ３７を有する。
【００４８】
グロメット本体３１の接合面部３３におけるパネル１２の開口部２１を横切る部位には、開口部２１に嵌る膨出部３８が形成されている。膨出部３８は、止水リップ３６の内周側に形成されており、正面視形状は横に長い長方形である。膨出部３８は必ずしも開口部２１の幅全体を塞ぐ大きさである必要はなく、膨出部３８の突出高さも適宜設定される。
【００４９】
グロメットインナー５１は、硬質の合成樹脂製であり、グロメット本体３１の一端部３１ａに対応する正面視形状でパネル１２やグロメット本体３１の段差部２４，３５に対応する湾曲した段差部５４を有した枠状に形成されている。枠状、つまり外周縁にグロメット本体３１の接合面部３３に嵌る嵌合縁部５３が形成され、中央部におけるグロメット本体３１の貫通路３４に対応する部位にはワイヤハーネスＷＨを通す穴部５５が形成されている。
【００５０】
穴部５５の縁のうちの一部、この例ではパネル１２の開口部２１における最も切り込み先端側の部位には、挿通保持したワイヤハーネスＷＨを規制する舌片５６が形成されている。
【００５１】
グロメットインナー５１における舌片５６の基部には留め部５７が形成されており、挿通保持したワイヤハーネスＷＨを保護するとともにワイヤハーネスＷＨを舌片５６側に導く前述のインナーカバー５２を固定可能にしている。留め部５７は弾性変位可能な係合爪５７ａを有する。図３中、インナーカバー５２の両側に形成された符号５８部分が、係合爪５７ａに係合する係合環である。
【００５２】
また、正面視で角を大きくした略二等辺三角形状をなすグロメットインナー５１の下端側の両側部、つまり前述の舌片５６の左右両側部であって、グロメット本体３１の接合面部３３より内側に対応する部位には、パネル１２に挿入されて抜け止め固定されるアンカー６１が形成されている。
【００５３】
アンカー６１は、図３にみられるように、パネル１２に形成された挿入穴２７（図１参照）に挿入可能な棒状に形成されており、アンカー６１の突出方向は、パネル１２における段差部２４の段差方向と略同じ方向に設定される。
【００５４】
またアンカー６１の先端から根元の近傍にかけて外周側に張りだす抜け止め爪６２が一対形成されている。抜け止め爪６２は、図５に示したように、挿入穴２７に対する係止時に挿入穴２７の内側に位置して径方向外側に突っ張る先端部６２ａと、挿入穴２７の裏面角に引っかかる爪部６２ｂを有している。
【００５５】
アンカー６１の周方向における一対の抜け止め爪６２の形成位置は、一対のアンカー６１の対向する方向と直交する方向の両側面である。これは、グロメット１１およびパネル１２が、舌片５６を横に延ばした姿勢、つまり図１の姿勢を９０度回転した姿勢で固定されるからである。抜け止め爪６２の向きを前述のように設定することにより、アンカー６１の断面における固定時に上下方向となる方向の肉厚を厚く形成できる上に、抜け止め爪６２の係止力が劣化する方向の変形を抑制できる。
【００５６】
グロメットインナー５１における前述のアンカー６１と反対側の端部には、パネル１２の開口部２１に貫通するパネル係止部７１と、パネル係止部７１の一部に係止される当て板部７２が備えられている。また、嵌合縁部５３におけるグロメット本体３１の膨出部３８に対応する部位に、膨出部３８の膨出方向に向けて突出する突起部５９が形成されている。突起部５９は、膨出部３８に収まる大きさの正面視長方形の突起である。
【００５７】
図６はパネル係止部７１と当て板部７２の拡大斜視図であり、図７はパネル係止部７１と当て板部７２を示す正面図である。なお、図７では当て板部７２の非係止状態のうち、当て板部７２を略直角に立てた状態を表している。図６、図７に示すようにパネル係止部７１には、主係止爪７３と従係止爪７４がそれぞれ一対ずつ形成されている。
【００５８】
主係止爪７３は、パネル１２の開口部２１に表面１２ａ側から挿入されて開口部２１の幅方向の縁に係止するものであり、間隔をあけて対をなして形成されるとともに、対をなす方向の外方に爪７３ａが向けられている。このため、図８に示したように、パネル１２の開口部２１の表面１２ａ側から主係止爪７３を押し込むと、主係止爪７３が弾性変位して開口部２１の縁に係止し、抜け止め状態が得られる。このとき、グロメットインナー５１の外周縁の嵌合縁部５３にはグロメット本体３１の接合面部３３が嵌合しており、接合面部３３がパネル１２の表面１２ａに当接した固定状態となる。
【００５９】
一方、従係止爪７４は、開口部２１に表面１２ａ側から挿入されて裏面１２ｂ側において当て板部７２を係止するものである。従係止爪７４は、主係止爪７３が対をなす方向と直交する方向に爪７４ａを向けて形成されており、開口部２１に挿入されても開口部２１に対しては非係止状態である。
【００６０】
この例において従係止爪７４は、間隔をあけて対をなして形成する。また、対をなす従係止爪７４の爪７４ａは共に、対をなす方向の外方に向ける。
【００６１】
従係止爪７４に係止される当て板部７２は、主係止爪７３のパネル１２に対する係止状態において従係止爪７４に係止して、グロメット本体３１の接合面部３３との間でパネル１２を裏面１２ｂ側から挟み込む押さえ部７５を有している（図１参照）。また当て板部７２には、主係止爪７３が開口部２１に係止した状態で、図７の仮想線や図９に示したように、主係止爪７３同士の間に入り込んで爪７３ｂの外れを阻止する規制ロック部７６が形成されている。
【００６２】
このような当て板部７２は、図６、図７に示したように、グロメットインナー５１にヒンジ７７を介して一体形成されている。当て板部７２の基部の固定位置は、主係止爪７３よりも内側、つまりアンカー６１側に寄った位置であって、ヒンジ７７は、主係止爪７３が対をなす方向に沿って延ばして形成されている。具体的には、ヒンジ７７は主係止爪７３の間に対応する位置に形成されている。
【００６３】
弾性変位させて係止を行わせる主係止爪７３を形成しつつ、ヒンジ７７により回動する当て板部７２を形成するため、ヒンジ７７の基部には、主係止爪７３と隙間をあけて並ぶ細幅板状の支持部７８が立設されている。支持部７８は、ヒンジ７７の近傍を補強するとともに、当て板部７２のガイドや主係止爪７３の支えとして機能する。
【００６４】
当て板部７２はヒンジ７７を介して一体形成されているが、成形時にはワイヤハーネスＷＨを通す穴部５５に対応する部位に形成されることになるので、納まり良く形成できる。
【００６５】
前述のように当て板部７２がヒンジ７７を介して回動する構造であるので、対をなす従係止爪７４のうちヒンジ７７から遠い方の従係止爪７４１の爪７４ａが近い方の従係止爪７４２の爪７４ａよりも大きく形成される。つまり、図６、図７などに示したように、ヒンジ７７から遠い方の従係止爪７４１の幅を相対的に大きく形成している。さらには、図１０、図１１に示したように、ヒンジ７７から遠い方の従係止爪７４１の爪７４ａの角度を先端側ほど下がる形状に形成してより積極的で強力な係止ができるようにしている。
【００６６】
また、対をなす従係止爪７４のうちヒンジ７７に近い側の従係止爪７４２は、図１０に示したように、当て板部７２の回動途中、つまりヒンジ７７から遠い側の従係止爪７４１に係止する前に、当て板部７２と当たる傾斜面７４ｄを備えている。この傾斜面７４ｄを有することで、固定作業前に当て板部７２が不測にヒンジ７７から遠い方の従係止爪７４１に係止してしまうことを抑制でき、円滑で簡易迅速な作業を確保できる。
【００６７】
当て板部７２は板状に形成されており、中央部には、前述の従係止爪７４と係合する係止切欠き部８１を有している。対をなす従係止爪７４は前述のように大きさが異なるので、係止切欠き部８１は単なる平面視方形状の切欠きできなく、係合する従係止爪７４の大きさに対応した平面視凸字状に形成されている。
【００６８】
当て板部７２における前述の規制ロック部７６の左右両側面には、図７、図９に示したように、主係止爪７３に対応する部位を幅広にするための張り出し部８２が形成されている。張り出し部８２は、回動して従係止爪７４に係止させたときに上側になる方が張りだし量を大きい断面三角形状に設定されている。
【００６９】
当て板部７２における前述の押さえ部７５は、従係止爪７４に対する係止状態において主係止爪７３の対向する方向と直交する方向における主係止爪７３と並ぶ位置に形成されている。具体的には、規制ロック部７６のよりもヒンジ７７から遠い側における左右両側に形成されている。
【００７０】
押さえ部７５の形状は板状や枠状など適宜の形状に設定し得るが、押さえとして機能する剛性を確保できるように厚さや外形の大きさなどが決められる。
【００７１】
押さえ部７５には、がたつき防止のためにパネル１２に対して付勢力を以て接触する弾性片８３が形成されるのが好ましい。このため、押さえ部７５は板状ではなく、図１、図６、図７に示したように、枠状、より好ましくは方形枠状に形成して切欠き部７５ａを備え、切欠き部７５ａの内部に弾性片８３を形成するとよい。
【００７２】
弾性片８３は方形板状に形成されており、図６、図７に示したように、押さえ部７５の基部側から延設されている。弾性片８３は、当て板部７２が従係止爪７４に係止したときに下になる面に向けて傾き、弾性片８３の先端部は、押さえ部７５における従係止爪７４に係止したときに下になる面よりも突出している。
【００７３】
また、当て板部７２におけるヒンジ７７と反対側の端であって押さえ部７５に挟まれる部位には、外方に突出する等脚台形状の突片７９が形成されている。突片７９は、当て板部７２を従係止爪７４に係止したときにグロメット本体３１の膨出部３８に対向する部位である。
【００７４】
以上のように構成されたグロメット本体３１とグロメットインナー５１は組み合わされてグロメット１１としてワイヤハーネスＷＨの保護に使用される。グロメットインナー５１とグロメット本体３１との結合は、グロメットインナー５１の嵌合縁部５３をグロメット本体３１の一端部３１ａの接合面部３３の内側に嵌め込む。このとき、グロメットインナー５１の突起部５９を図１０に示したようにグロメット本体３１の膨出部３８の下側に嵌める。グロメット本体３１は柔軟であるが、突起部５９が嵌ることによって、不測の捲れや分離を効果的に防止できる。
【００７５】
グロメット１１の一端部１１ａをパネル１２に対して固定する作業は、次のように行う。
【００７６】
まず、グロメット１１のグロメットインナー５１における当て板部７２を、図２に示したように９０度ほど立てて、アンカー６１の延びる方向に立った姿勢にする。
【００７７】
この状態で、図２に矢印で示したように、パネル係止部７１と当て板部７２と舌片５６とインナーカバー５２をパネル１２の開口部２１に挿入し、アンカー６１を挿入穴２７に挿入する。アンカー６１は挿入穴２７に挿入されると、図１に示したように挿入穴２７に係止して抜け止めを行う。同様に、パネル係止部７１を開口部２１に挿入すると、主係止爪７３が図７に示したようにパネル１２の開口部２１に係止する。このような３か所の係止で、グロメット本体３１の接合面部３３をパネル１２の表面１２ａに押しつけた状態の固定が一応完了する。
【００７８】
このあと、図１０に示したように当て板部７２を、ヒンジ７７を支点に従係止爪７４側に回動して、係止切欠き部８１に一対の従係止爪７４を係止させる。パネル１２の開口部２１の端には開放空間２６を形成しているので、開放空間２６を通して当て板部７２の回動操作を行うこともできる。当て板部７２はヒンジ７７を介して一体形成されているので、係止操作は簡単であり、利便性が高く作業性が良い。
【００７９】
また一対の従係止爪７４のうちヒンジ７７から遠い方の従係止爪７４１の爪７４ａの方が近い方の従係止爪７４２の爪７４ａより大きく形成されているので、当て板部７２の係止を強力に行わせることができ、この点からも、より良好な固定状態が得られる。
【００８０】
当て板部７２を回動させると、図１、図１１、図１２に示したように、当て板部７２の左右両側の押さえ部７５がパネル１２の対向部位、具体的には縁片２５を押さえて、グロメット本体３１とでパネル１２を挟み込む。これによって、車両への搭載時に下になる一方の主係止爪７３にかかる荷重を抑制し、がたつきの発生や外れを防止する。また、パネル１２の開口部２１を含む形状公差が最大で、開口部２１に対するグロメットインナー５１に片寄りがある場合であって不測に主係止爪７３が外れたり、グロメット１１の中のワイヤハーネスＷＨが引っ張られてテンションがかかったりしたときでも、グロメット１１のパネル１２からの脱落を防止できる。
【００８１】
しかも、押さえ部７５がパネル１２の裏面１２ｂを押さえるときには、図１２のＡ−Ａ断面図である図１３に示したよう、弾性片８３が独自にパネル１２に対して付勢力を発揮した状態で接する。これによって、押さえ部７５にストッパ機能を発揮させつつ、がたつき防止が行える。このような弾性片８３は、方形枠状に形成された押さえ部７５の内部に形成されているので、弾性片８３を形成したことによる大型化を回避できるとともに、安定した押さえができる。大型化を抑制できることは、前述したようにヒンジ７７を介して一体形成される当て板部７２を納まり良く形成することにも資する。
【００８２】
また押さえ部７５は、パネル１２に対して係止する主係止爪７３に並んだ位置で主係止爪７３の係止状態の維持を補助するので、押さえ部７５の前述の機能を効果的に発揮させることができる。
【００８３】
同時に、当て板部７２が従係止爪７４によって係止されると、図９に示したように当て板部７２の規制ロック部７６が、すでにパネル１２に係止している主係止爪７３同士の間に嵌り込んで、主係止爪７３が、係止が外れる方向に変位するのを阻止する。これによって、主係止爪７３による係止状態を維持し、グロメット１１のパネル１２に対する固定状態を保つ。
【００８４】
このようにして、アンカー６１とパネル係止部７１の主係止爪７３とによる係止に加えて、当て板部７２の押さえ部７５と弾性片８３とによる挟み込みとがたつき防止を行うので、良好な固定状態が得られるうえに、振動が生じる環境下でも良好な固定状態を維持することができる。
【００８５】
また、前述のようなグロメット１１を用いたグロメット固定構造１３では、挿入するだけで係止するアンカー６１がパネル１２の内側部分に対応する部位に形成されており、当て板部７２との協働で裏からの押さえも行うパネル係止部７１がパネル１２における内側部２３よりも端の端部２２に形成されており、パネル１２におけるアンカー６１が係止する内側部２３とパネル係止部７１が係止する端部２２との間に段差部２４を有している。このため、段差部２４の段差の方向に延びてパネル１２の内側部２３に係止するアンカー６１と、パネル１の端部２２に係止するパネル係止部７１との係止位置と固定態様の違いを、段差部２４を有するパネル１２上で生かしつつ、アンカー６１とパネル係止部７１が互いに係止状態を補助する。この結果、良好な固定状態が得られるとともに、良好な固定状態を維持できる。
【００８６】
さらに、主係止爪７３が間隔をあけて対をなして形成されるとともに、対をなす方向の外方に爪７３ａが向けられており、従係止爪７４が、主係止爪７３が対をなす方向と直交する方向に爪７４ａを向けて形成されているので、相互間で係止状態に悪影響を及ぼすことを回避できるうえに、主係止爪７３と従係止爪７４を有するパネル係止部７１の形態をコンパクトにまとめることができる。このため、前述したように当て板部７２内に弾性片８３を形成して大型化を回避したことと同様に、納まり良く形成することに貢献できる。
【００８７】
加えて、グロメット本体３１には開口部２１に嵌る膨出部３８が形成されているので、開口部２１に生じる隙間を小さくして異物の侵入を抑制できる。また開口部２１を塞ぐように位置してグロメット１１が引っ張られた場合でも捲れを抑制できる。このような膨出部３８の作用は、膨出部３８がグロメットインナー５１の突起部５９によって補強されるので、確実に行われる。
【００８８】
以上の構成は、この発明を実施するための一形態であって、この発明は前述の構成に限定されるものではなく、その他の構成を採用することもできる。
【００８９】
たとえば、パネル係止部７１の主係止爪７３と従係止爪７４はそれぞれ一対ずつ形成したが、一対ずつより多くてもよく、２本ずつよりも多い数にしてもよい。従係止爪７４は１本であってもよい。
【００９０】
また、押さえ部７５に形成される弾性片８３は、押さえ部７５ごとに複数形成してもよく、弾性片８３の向きも適宜設定できる。弾性片８３は押さえ部７５の外縁に添えるように備えてもよい。
【００９１】
押さえ部７５に形成された張り出し部８２は、主係止爪７３の背面に対向するので、張り出し部８２と主係止爪７３の背面との間で係止させたり、圧入させたりすることもできる。
【００９２】
また、当て板部７２は別体に備えてもよい。
【符号の説明】
【００９３】
１１…グロメット
１１ａ…一端部
１２…パネル
１２ａ…表面
１２ｂ…裏面
１３…グロメット固定構造
２１…開口部
２４…段差部
３８…膨出部
５１…グロメットインナー
５９…突起部
６１…アンカー
７１…パネル係止部
７２…当て板部
７３…主係止爪
７３ａ…爪
７４…従係止爪
７４ａ…爪
７５…押さえ部
７５ａ…切欠き部
７６…規制ロック部
７７…ヒンジ
８３…弾性片
【図１】
2019161835.tif 000003
【図２】
2019161835.tif 000004
【図３】
2019161835.tif 000005
【図４】
2019161835.tif 000006
【図５】
2019161835.tif 000007
【図６】
2019161835.tif 000008
【図７】
2019161835.tif 000009
【図８】
2019161835.tif 000010
【図９】
2019161835.tif 000011
【図１０】
2019161835.tif 000012
【図１１】
2019161835.tif 000013
【図１２】
2019161835.tif 000014
【図１３】
2019161835.tif 000015